(57)【要約】【課題】配管の小サイズ化を図りつつ、配管内の水抜き処理を適切に行なうことが可能な水抜き促進機能を備えた配管構造を提供する。【解決手段】開閉弁８が取り付けられている通水用の配管Ｂと、開閉弁８よりも通水方向上流に設けられたフィルタＦと、を備えている、配管構造であって、配管Ｂのうち、フィルタＦから開閉弁８に到るまでの領域の少なくとも一部分が上下高さ方向に起立していることにより形成され、かつフィルタＦを開閉弁８よりも低い位置に配置させる起立配管部７Ａと、開閉弁８が閉じることによりフィルタ本体部１に水膜が発生してフィルタ本体部１の通水方向下流側に水が封入されたときに、この水の一部をフィルタ本体部１の通水方向上流側に導く毛細管現象が生じるように、フィルタ本体部１に一端が繋がった溝状または孔状の水抜き促進用の排水路３と、を備えている。【選択図】  図５
2006336914.tif 000002
【特許請求の範囲】
【請求項１】
開閉弁が取り付けられている通水用の配管と、
多孔状のフィルタ本体部を有し、かつ前記開閉弁に向かって流れる水を濾過するように前記配管内の前記開閉弁よりも通水方向上流に設けられたフィルタと、
を備えている、配管構造であって、
前記配管のうち、前記フィルタから前記開閉弁に到るまでの領域の少なくとも一部分が上下高さ方向に起立していることにより形成され、かつ前記フィルタを前記開閉弁よりも低い位置に配置させる起立配管部と、
前記開閉弁が閉じることにより前記フィルタ本体部に水膜が発生して前記フィルタ本体部の通水方向下流側に水が封入されたときに、この水の一部を前記フィルタ本体部の通水方向上流側に導く毛細管現象が生じるように、前記フィルタ本体部に一端が繋がった溝状または孔状の水抜き促進用の排水路と、
を備えていることを特徴とする、水抜き促進機能を備えた配管構造。
【請求項２】
多孔状のフィルタ本体部を有しており、かつ通水用の配管内のうち、開閉弁よりも通水方向上流に設けられて水を濾過するのに用いられるフィルタであって、
前記フィルタ本体部に接触している接触部材と、
この接触部材に設けられ、かつ前記フィルタ本体部に水膜が発生して前記フィルタ本体部の片側に水が封入されたときにこの水の一部を前記フィルタ本体部の前記片側とは反対側に導く毛細管現象が発生するように、前記フィルタ本体部に一端が繋がった溝状または孔状の水抜き促進用の排水路と、
を備えていることを特徴とする、フィルタ。
【請求項３】
周壁部の少なくとも一部分が前記フィルタ本体部により構成された有底の筒状部を備えており、
前記接触部材は、前記フィルタ本体部の外面部に沿って前記筒状部の軸長方向に延びる１または複数条の支持片部を有しており、
前記水抜き促進用の排水路は、前記支持片部に形成されている、請求項２に記載のフィルタ。
【請求項４】
前記水抜き促進用の排水路の一端は、前記フィルタ本体部のうち、前記筒状部の底部寄り部分に繋がっている、請求項３に記載のフィルタ。
【請求項５】
前記筒状部のうち、前記底部とは軸長方向において離れた箇所には、前記筒状部よりも外径または幅が大きく、かつ少なくとも一部分が前記多孔状のフィルタ本体部により構成されたフランジ部が連設されている、請求項３または４に記載のフィルタ。
【請求項６】
前記水抜き促進用の排水路は、複数設けられている、請求項２ないし５のいずれかに記載のフィルタ。
【発明の詳細な説明】
【技術分野】
【０００１】
本発明は、開閉弁とフィルタとを備えた配管構造において、前記開閉弁を閉じた際に前記フィルタに水膜が張って水抜きが困難となり、この水が凍結などを生じることを適切に防止するための技術に関する。
【背景技術】
【０００２】
たとえば、浴槽への注湯を行なうための風呂給湯システムは、給湯器によって生成された湯水が配管を介して浴槽に送られるようにされている。ただし、前記配管には、たとえば電磁式の開閉弁が取り付けられており、この開閉弁の開閉動作により注湯の実行およびその停止が制御されるようになっている（たとえば、特許文献１〜３を参照）。このような風呂給湯システムを構成する場合、前記開閉弁よりも通水方向上流にはフィルタを設けることによって、湯水に混入されている夾雑物を除去し、開閉弁内に夾雑物が進入することを防止することが望まれる。開閉弁としては、パイロット式のものが用いられる場合があるが、このパイロット式の開閉弁においては、微小内径のパイロット孔に夾雑物が入り込まないようにする必要があるため、フィルタを用いる必要性はより高い。
【０００３】
しかしながら、開閉弁の上流にフィルタを設けた場合には、次に述べるような不具合を生じる虞れがある。
【０００４】
すなわち、開閉弁の上流にフィルタが設けられていると、開閉弁を閉じたときに、水の表面張力に起因してフィルタ表面に水膜が張り、フィルタと開閉弁との間に水が封入されたままとなって、その部分からの水抜きが困難となる場合がある。このような事態が生じたのでは、冬季などにおいて配管設置箇所の温度が低下した際に、前記水が凍結し、配管や配管に取り付けられている機器類などが損傷する虞れがある。したがって、このような現象を適切に防止することが望まれる。
【０００５】
前記現象の防止策としては、たとえば図７に模式的に示すような手段が考えられる。すなわち、同図に示す手段においては、開閉弁９０およびフィルタ９１が設けられている配管９２の一部が略鉛直状に起立した起立配管部９２ａとして形成され、フィルタ９１が開閉弁９０よりも適当な寸法Ｈだけ低い位置に配されている。このような構成によれば、開閉弁９０が閉じてフィルタ９１に水膜が発生し、フィルタ９１上に水が閉じ込められたとしても、その水頭圧Ｐがフィルタ９１に作用する。したがって、この水頭圧Ｐを利用して、前記水膜を破壊し、フィルタ９１上の水をその下方に抜くことが可能となる。
【０００６】
ところが、前記したように水頭圧Ｐを利用して水膜を破壊させる手段のみでは、フィルタ９１と開閉弁９０との高低差Ｈを大きくする必要がある。とくに、フィルタ９１の目が細かいほど、水頭圧を高くする必要があり、高低差Ｈを大きくとらなければならない。配管９２を実際に施工する場合には、前記した高低差Ｈをできる限り小さくし、配管部分全体の小サイズ化を図りたい場合があるが、前記した技術においては、そのような要請に応える上で、未だ改善の余地がある。
【０００７】
【特許文献１】特開２００４−３５３９８１号公報
【特許文献２】特開２００４−２６３９１２号公報
【特許文献３】特開２００１−３３０３１１号公報
【発明の開示】
【発明が解決しようとする課題】
【０００８】
本発明は、このような事情のもとで考え出されたものであって、配管の小サイズ化を図りつつ、配管内の水抜き処理を適切に行なうことが可能な水抜き促進機能を備えた配管構造、およびフィルタを提供することを、その課題としている。
【課題を解決するための手段】
【０００９】
上記の課題を解決するため、本発明では、次の技術的手段を講じている。
【００１０】
本発明の第１の側面により提供される水抜き促進機能を備えた配管構造は、開閉弁が取り付けられている通水用の配管と、多孔状のフィルタ本体部を有し、かつ前記開閉弁に向かって流れる水を濾過するように前記配管内の前記開閉弁よりも通水方向上流に設けられたフィルタと、を備えている、配管構造であって、前記配管のうち、前記フィルタから前記開閉弁に到るまでの領域の少なくとも一部分が上下高さ方向に起立していることにより形成され、かつ前記フィルタを前記開閉弁よりも低い位置に配置させる起立配管部と、前記開閉弁が閉じることにより前記フィルタ本体部に水膜が発生して前記フィルタ本体部の通水方向下流側に水が封入されたときに、この水の一部を前記フィルタ本体部の通水方向上流側に導く毛細管現象が生じるように、前記フィルタ本体部に一端が繋がった溝状または孔状の水抜き促進用の排水路と、を備えていることを特徴としている。
【００１１】
このような構成によれば、開閉弁を閉じて配管内の通水を停止させた際に、フィルタのフィルタ本体部に水膜が張ってこのフィルタ本体部の通水方向下流側に水が封入される現象を生じたとしても、この水の一部は、毛細管現象によって水抜き促進用の排水路に進行していく。この毛細管現象に基づいて前記水が排水路に進行する力は、フィルタ本体部に発生している水膜を破壊する力として有効に働くこととなる。したがって、前記力が作用する分だけ、前記水膜が破壊し易くなり、開閉弁とフィルタとの高低差を大きくとって高い水頭圧を得る必要性が無くなり、それら開閉弁とフィルタとの高低差を小さくすることが可能となる。このようなことから、本発明によれば、水頭圧を発生させるために配管に設けられる起立配管部の起立高さを小さくして配管のコンパクト化を図りつつ、配管内の水抜き処理を適切に行ない、配管内に残存する水が寒冷期に凍結するといった虞れを解消するのに好適となる。
【００１２】
本発明の第２の側面により提供されるフィルタは、多孔状のフィルタ本体部を有しており、かつ通水用の配管内のうち、開閉弁よりも通水方向上流に設けられて水を濾過するのに用いられるフィルタであって、前記フィルタ本体部に接触している接触部材と、この接触部材に設けられ、かつ前記フィルタ本体部に水膜が発生して前記フィルタ本体部の片側に水が封入されたときにこの水の一部を前記フィルタ本体部の前記片側とは反対側に導く毛細管現象が発生するように、前記フィルタ本体部に一端が繋がった溝状または孔状の水抜き促進用の排水路と、を備えていることを特徴としている。
【００１３】
このような構成によれば、前述した本発明の第１の側面により提供される配管構造と同様に、フィルタ本体部に水膜が発生した際には、この水の一部が毛細管現象によって水抜き促進用の排水路内に導かれる力を水膜破壊に利用することが可能となり、フィルタと開閉弁との高低差を小さくしつつ、配管内の水抜き処理を適切に行なうことができる。さらに、前記水抜き促進用の排水路は、フィルタ自体に設けられているために、このフィルタを従来と同様な態様で配管内に取り付けるだけで、本発明が意図する作用が得られることとなり、その取り付けなども容易である。
【００１４】
本発明の好ましい実施の形態においては、周壁部の少なくとも一部分が前記フィルタ本体部により構成された有底の筒状部を備えており、前記接触部材は、前記フィルタ本体部の外面部に沿って前記筒状部の軸長方向に延びる１または複数条の支持片部を有しており、前記水抜き促進用の排水路は、前記支持片部に形成されている。
【００１５】
このような構成によれば、次のような効果が得られる。すなわち、第１に、フィルタが筒状部を有し、かつこの筒状部の周壁部の少なくとも一部分がフィルタ本体部により構成されているために、フィルタ本体部の面積を大きくし、フィルタの濾過面積を大きくとることができる。フィルタの目詰まり防止を図りつつ、そのフィルタ性能を高めるには、フィルタ本体部の面積をできる限り大きくすることが望まれるが、前記構成によれば、そのような要望に的確に応えることができる。第２に、前記接触部材は、筒状部の軸長方向に延びる支持片部を有しており、この支持片部によってフィルタ本体部を適切に支持し、フィルタ全体の機械的な強度を確保することができる。第３に、水抜き促進用の排水路は、前記支持片部に設けられており、それ専用の部材を別途用いる必要がなく、フィルタ全体の構成の簡素化、ならびに製造コストの低減化を図ることが可能である。
【００１６】
本発明の好ましい実施の形態においては、前記水抜き促進用の排水路の一端は、前記フィルタ本体部のうち、前記筒状部の底部寄り部分に繋がっている。
【００１７】
フィルタを上下方向に起立させた姿勢で配管内に配置させ、かつこのフィルタに水頭圧を作用させた場合、このフィルタの底部が最も大きな水頭圧を受けることとなる。これに対し、前記構成によれば、そのように最も大きな水頭圧を受ける部分、またはその近傍において、毛細管現象に基づく力を発生させることができる。したがって、フィルタ本体部の水膜を破壊するのに最適となり、開閉弁とフィルタとの高低差を小さくするのにより好適となる。
【００１８】
本発明の好ましい実施の形態においては、前記筒状部のうち、前記底部とは軸長方向において離れた箇所には、前記筒状部よりも外径または幅が大きく、かつ少なくとも一部分が前記多孔状のフィルタ本体部により構成されたフランジ部が連設されている。
【００１９】
このような構成によれば、フィルタ本体部の総面積をより大きくすることができ、フィルタの目詰まりを防止しつつ、フィルタ性能を高めるのに一層好ましいものとなる。また、フィルタ本体部に生じた水膜が破壊される際には、前記フランジ部のフィルタ本体部に空気が通過することによって、フィルタの筒状部からの水抜き作用が促進される効果も得られる。
【００２０】
本発明の好ましい実施の形態においては、前記水抜き促進用の排水路は、複数設けられている。
【００２１】
このような構成によれば、水抜き促進用の排水路が１つだけ設けられている場合と比較すると、毛細管現象によってフィルタ本体部表面の水膜を破壊する力は大きくなる。したがって、開閉弁とフィルタとの高低差を小さくするのにより好適となる。
【００２２】
本発明のその他の特徴および利点は、添付図面を参照して以下に行なう発明の実施の形態の説明から、より明らかになるであろう。
【発明を実施するための最良の形態】
【００２３】
以下、本発明の好ましい実施の形態について、図面を参照して具体的に説明する。
【００２４】
図１〜図３は、本発明に係るフィルタの一例を示している。図１によく表われているように、本実施形態のフィルタＦは、多孔状のフィルタ本体部１と、これを支持する合成樹脂製のフレーム２と、このフレーム２に設けられた水抜き促進用の２つの排水路３とを備えている。
【００２５】
フィルタ本体部１は、多数の微小な通水用の孔１０がマトリクス状に並ぶように形成された合成樹脂製のメッシュ体を用いて構成されている。もちろん、フィルタ本体部１は、これに代えて、金属網などを用いて構成することもできる。このフィルタ本体部１は、図３（ｂ）によく表われているように、略円筒状の筒状部１１と、この筒状部１１の上端に繋がり、かつこの筒状部１１よりも大径の略円形状に形成されたフランジ部１２とを有している。このフィルタＦを用いて水の濾過を行なう場合、このフィルタＦの下方から上方に向けて水を進行させると、たとえば同図の矢印Ｎ１，Ｎ２に示すような経路で水の濾過がなされる。すなわち、矢印Ｎ１に示す経路では、水が筒状部１１をその外部から内部に向けて透過した後に、この筒状部１１内を上方に進行し、フレーム２の上部開口部２６からその上方に流出する。矢印Ｎ２に示す経路では、フランジ部１２をその下方から上方に向けて透過する。
【００２６】
フレーム２は、フィルタ本体部１を支持し、かつその形状を維持する役割を果たすものであり、たとえばインサート成形の手法によりフィルタ本体部１との一体化ならびにその成形がなされている。このフレーム２は、フィルタ本体部１に接触しており、本発明でいう接触部材の一例に相当する。このフレーム２は、図３（ａ）によく表われているように、フィルタ本体部１の筒状部１１を支持するための部分として、この筒状部１１の下部先端開口を塞ぐ底部２０と、この底部２０から上方に延びた複数ずつの外部および内部の支持片部２１，２２とを有している。これら複数の支持片部２１，２２は、いずれも細幅なリブ状であり、フィルタ本体部１の筒状部１１をその外側および内側から挟み付けている。ただし、図面においては、筒状部１１の配置などが理解し易いように、筒状部１１が単に支持片部２１，２２間に存在する構造に示されている。この点は、フレーム２によってフィルタ本体部１が挟み付けられている他の部分についても同様である。支持片部２１，２２は、図２（ｃ）に示すように、筒状部１１の周方向にたとえば略等間隔で４つずつ設けられている。筒状部１１の周壁部のうち、それら計４つずつの支持片部２１，２２によって挟まれていない部分が、先の矢印Ｎ１で示した通水を可能とする領域である。各外部支持片部２１の上部は、幅ｓ１が大きくされた幅広部２１ａとして形成されている。後述するように、この幅広部２１ａの下面部分は、フィルタＦを所望の配管内に取り付けて固定させるための係止部として利用することができる。また、幅広部２１ａの上面部分は、フィルタ本体部１のフランジ部１２の下面側を支持する役割を果たす。
【００２７】
フレーム２の上部には、内部支持片部２２の上端に繋がった第１の環状部２３と、この第１の環状部２３から半径方向外方に向けて延びる複数の帯片部２４と、これら帯片部２４の先端に繋がった第２の環状部２５とが形成されている。これらの部分は、フィルタ本体部１のフランジ部１２を挟むようにして複数の幅広部２１ａの上方に重なっており、この構造によりフレーム２に対するフランジ部１２の固定化が図られている。フランジ部１２のうち、そのような挟み付けがなされていない部分が、先の矢印Ｎ２に示した通水を可能とする領域である。
【００２８】
図１によく表われているように、水抜き促進用の各排水路３は、外部支持片部２１の下部に形成されている。この排水路３は、後述するように、フィルタ本体部１に水膜が生じたときに、水膜破壊を補助するための毛細管現象を生じさせるための部分である。図１の要部拡大図に表われているように、排水路３の上部３０ａの一端３００は、前記毛細管現象を発生させることができるように、フィルタ本体部１の筒状部１１の底部近傍の外面およびこの外面の通水用の孔１０に繋がっている。排水路３の上部３０ａは、たとえば幅が１ｍｍ程度、深さが０．５ｍｍ程度の凹溝状である。排水路３の下部３０ｂは、上部３０ａの下端から外部支持片部２１の下端縁まで延びた切欠き状の溝として形成されている。本実施形態においては、２つの排水路３が、２つの外部支持片部２１の同一方向を向く面に形成されている。このような構成によれば、フレーム２の樹脂成形時に２つの排水路３を形成する場合に、それら２つの排水路３を形成するための金型の一部の突出方向および抜き方向が一致することとなり、型抜き作業の容易化、ならびに金型構造の簡素化を図るのに好適となる。もちろん、２つの排水路３は、本実施形態とは異なり、複数の外部支持片部２１のうち、向きが互いに異なる面に設けてもよいし、また金型を用いて形成するのではなく、たとえば切削加工により形成してもかまわない。
【００２９】
図４は、本発明が適用された配管構造をもつ給湯システムの一例を模式的に示している。本実施形態の給湯システムＡは、給水口４０に供給された水を加熱して湯水を生成可能な熱交換器４と、この熱交換器４によって生成された湯水を受ける配管Ｂと、この配管Ｂに取り付けられた電磁開閉弁８と、前記したフィルタＦとを備えている。配管Ｂには、浴槽５０への給湯を行なうための湯落とし込み配管５２が接続され、また台所その他の箇所に設置された給湯栓５１への給湯を行なうための配管５３も接続されている。
【００３０】
配管Ｂは、第１および第２のケーシング６１，６２、および管体６３，６４を有しており、かつこれらが一連に連結されて構成されている。この配管Ｂは、上下高さ方向に延びる通水路７０を内部に形成している起立配管部７Ａと、この起立配管部７Ａの上部に繋がって略水平方向に延びる通水路７１を内部に形成している上部管体部７Ｂとを有している。
【００３１】
より具体的には、図５によく表われているように、起立配管部７Ａは、第１および第２のケーシング６１，６２の上下方向に延びる管体部６１ａ，６２ａどうしが連結されることにより構成されている。第１のケーシング６１の一側部には、熱交換器４の出湯用管体４１に接続される接続口６１０が形成されており、この接続口６１０から第１のケーシング６１内に湯が供給されるようになっている。第１のケーシング６１内に供給された湯は、起立配管部７Ａを上向きに進行することにより上部管体部７Ｂ内に進入し、その後浴槽５０に供給される。第１のケーシング６１の下部には、配管５３に接続される接続口６１１が形成されている。
【００３２】
第１のケーシング６１には、電磁式の流量制御弁６５が取り付けられており、この流量制御弁６５の弁体６５０の移動により、接続口６０から第１のケーシング６１内に供給される湯の最大流量（単位時間当たりの流量）を所望の値に変更設定可能となっている。このような構成によれば、熱交換器４の給湯能力を超えて湯が第１のケーシング６１内に供給されることを防止し、目標給湯温度よりも低い温度の湯が給湯先に供給されないようにすることができる。
【００３３】
フィルタＦは、起立配管部７Ａ内のうち、流量制御弁６５の弁体６５０よりも上方に配されている。図５によく表われているように、このフィルタＦは、たとえば起立配管部７Ａ内に嵌入装着されたリング状部材６８の上面部に、外部支持片部２１の幅広部２１ａが係止されることにより、その取り付けがなされている。フィルタＦの上方には、浴槽５０への給湯量を検知するための流量センサＳ１が設けられている。
【００３４】
電磁開閉弁８は、浴槽５０への給湯およびその停止を制御するためのものであり、上部配管部７Ｂに取り付けられている。より具体的には、この電磁開閉弁８は、ベローズ８０を用いて形成された弁体８１が電磁ソレノイド８２の作用によって一定方向（図５の左右方向）に往復動自在に形成されたものであり、弁体８１が第２のケーシング６２内に形成されている筒状の弁座８３に当接することによって、この弁座８３によって囲まれている連通路８４が閉状態となる。図５は、そのような状態を示している。この状態では、起立配管部７Ａから上部配管部７Ｂへの湯水の流通が遮断される。なお、実際に流通が遮断されるシール構造を形成している箇所はベローズ８０の部位である。これとは異なり、弁体８１を図５の右方に後退させて弁座８３から離反させると、連通路８４が開状態となり、起立配管部７Ａから上部配管部７Ｂへの湯水の流通が可能となる。弁体８１には、パイロット孔８１ａが形成されている。フィルタＦは、電磁開閉弁８よりも通水方向上流において湯水を濾過する役割を果たす。したがって、パイロット孔８１ａに夾雑物が進入して詰まりを生じるといったことが適切に防止される。上部配管部７Ｂの通水方向下流端には、湯落とし込み配管５２に接続される接続口６４０が形成されている。また、上部配管部７Ｂには、たとえば２つの逆止弁６９も設けられている。この逆止弁６９は、湯落とし込み配管５２側の圧力が上昇したときに、弁体６９０が弁座６９１に当接して通水路７１の一部を遮断することにより、湯落とし込み配管５２側からの湯の逆流を防止するものである。
【００３５】
次に、前記したフィルタＦ、およびこれを備えた給湯システムＡの作用について説明する。
【００３６】
図４において、まず電磁開閉弁８を開状態にすると、熱交換器４を利用して生成された湯が配管Ｂの起立配管部７Ａから上部配管部７Ｂに流入し、湯落とし込み配管５２を経て浴槽５０に供給される。浴槽５０への給湯量は流量センサＳ１を利用して検出されており、その検出量が予め定められた値になった時点で、電磁開閉弁８を閉状態に切り替える。これにより、浴槽５０への給湯（湯張り）が終了する。
【００３７】
電磁開閉弁８が閉じると、起立配管部７Ａ内の通水路７０は、その内部に湯水が存在した状態のまま、その上端が閉塞された状態となり、フィルタＦの上方領域は、外部からのエア流入が困難な気密状態となる。また、フィルタＦのフィルタ本体部１には、湯水の表面張力に起因して水膜が発生する。フィルタＦの筒状部１１内およびその上方に存在する湯水がフィルタＦの下方に流出せず、その水抜きが困難となる現象は、上記したようなことに起因して生じる。
【００３８】
これに対し、本実施形態においては、図６に示すように、第１に、フィルタＦの筒状部１１内およびその上方に存在する湯水の水頭圧Ｐ１が、フィルタ本体部１の水膜を破壊する力として働く。第２に、フィルタ本体部１の表面の水は、毛細管現象によってフレーム２の排水路３に向けて進行するが、このことによって発生する力Ｐ２も、前記水膜を破壊する力として有効に働くこととなる。本実施形態によれば、このような力Ｐ１，Ｐ２によりフィルタ本体部１の水膜を破壊し、フィルタＦの上方にその下方から空気を流入させることによって、フィルタＦ上に封入されていた水をその下方に適切に抜くことができる。本実施形態とは異なり、たとえば水頭圧Ｐ１のみによって前記水膜を破壊させようとした場合には、電磁開閉弁８とフィルタＦ（より正確には、フィルタＦの筒状部１１の下部）との高低差Ｈ１を大きくする必要がある。ところが、本実施形態によれば、毛細管現象に基づく力Ｐ２を発生させるために、高低差Ｈ１を小さくし、起立配管部７Ａの小寸法化を図ることができる利点が得られる。
【００３９】
排水路３は、フィルタ本体部１の筒状部１１の下部近傍に一端が繋がっており、この部分に毛細管現象に基づく力Ｐ２を生じさせている。その一方、水頭圧Ｐ１は、フィルタＦの筒状部１１の下部において最大となる。このようなことから、フィルタ本体部１の筒状部１１の下部には、前記の力Ｐ１，Ｐ２が集中して作用することとなり、水膜をより破壊し易くなる。また、排水路３は、２箇所設けられており、毛細管現象に基づく力Ｐ２は、排水路３が１箇所だけ設けられている場合よりも大きくすることができるために、このことによっても水膜が破壊し易くなり、高低差Ｈ１をより小さくしつつ、適切な水抜きが可能となる。水抜きが適切に行なわれると、たとえば冬季において配管Ｂ内の残留水が凍結し、配管Ｂまたは配管Ｂに取り付けられた機器が損傷するといったことが適切に防止される。
【００４０】
本発明は、上述した実施形態に限定されない。本発明に係る水抜き促進機能を備えた配管構造、およびフィルタの各部の具体的な構成は、種々に設計変更自在である。
【００４１】
フィルタとしては、先の実施形態のフィルタＦのように、筒状部１１やフランジ部１２を具備する構成とすれば、濾過面積を大きくするのに好適であるが、このような構成に限定されない。フィルタは、たとえば有底の単なる筒状（円筒、角筒いずれでもよい）のもの、あるいは平面状のものに形成することも可能である。また、本発明でいう接触部材は、フィルタ本体部を支持するためのフレームとして形成されていなくてもかまわない。
【００４２】
水抜き促進用の排水路は、溝状に代えて、孔状（たとえば、フィルタ本体部に接触する接触部材を貫通するように形成された孔）に形成してもよい。また、具体的な寸法も問わない。要は、水抜き促進用の排水路は、フィルタ本体部に水膜が発生した際にこの水の一部が毛細管現象によってこの排水路の内部に進行可能に形成されていればよい。水抜き促進用の排水路の数を多くするほど、水膜を破壊し易くなるが、その具体的な数も問わない。
【００４３】
本発明に係る配管構造においては、水抜き促進用の排水路を、フィルタとは別の部材に設けることも可能である。たとえば、フィルタに接触しつつこのフィルタを支持する部材が配管内に設けられている場合に、この部材に水抜き促進用の排水路を設けた構成とすることもできる。
【００４４】
本発明でいう起立配管部は、上下高さ方向に起立しているが、その起立方向は正確な鉛直方向である必要はなく、鉛直方向に対して多少の傾きがあってもよい。傾きがある場合であっても、フィルタの上方に水が存在する際には、その水頭圧が得られるからである。また、起立配管部は、フィルタに水膜が発生した場合に、この水膜に水頭圧を作用させることを目的として形成されるものであるため、必ずしもフィルタから開閉弁に到るまでの配管領域の全体が起立状に形成されている必要はなく、少なくともそれらの一部分が起立配管部として形成されていればよい。開閉弁は、配管内の通水およびその停止を制御可能なものであればよく、その具体的な構造は限定されない。また、開閉弁は、起立配管部に取り付けた構成とすることもできる。
【００４５】
本発明に係る配管構造は、先に述べた実施形態のような給湯システムに用いるのに好適であるが、その具体的な用途はこれに限定されず、種々の用途の配管構造に適用することが可能である。
【図面の簡単な説明】
【００４６】
【図１】本発明に係るフィルタの一例を示す斜視図である。
【図２】（ａ）は、図１に示すフィルタの平面図であり、（ｂ）は、正面図であり、（ｃ）は、（ｂ）のII−II断面図である。
【図３】（ａ）は、図２（ａ）のIIIａ−IIIａ断面図であり、（ｂ）は、図２（ａ）のIIIｂ−IIIｂ断面図である。
【図４】本発明に係る水抜き促進機能を備えた配管構造を備えた給湯システムの一例を模式的に示す説明図である。
【図５】図４の要部断面図である。
【図６】図４の要部断面説明図である。
【図７】関連技術の一例を示す説明図である。
【符号の説明】
【００４７】
Ｆ        フィルタ
Ａ        給湯システム
Ｂ        配管部
１        フィルタ本体部
２        フレーム（接触部材）
３        水抜き促進用の排水路
７Ａ      起立配管部
８        電磁開閉弁（開閉弁）
１１      筒状部
１２      フランジ部
２１      支持片部
【図１】
2006336914.tif 000003
【図２】
2006336914.tif 000004
【図３】
2006336914.tif 000005
【図４】
2006336914.tif 000006
【図５】
2006336914.tif 000007
【図６】
2006336914.tif 000008
【図７】
2006336914.tif 000009